(57)【要約】【課題】スキュー調整に必要な部品点数を削減してコストの低減化を図れる「光ピックアップ装置」を提供する。【解決手段】本発明の光ピックアップ装置では、対物レンズ２を可動状態に支持するアクチュエータベース４の外縁部２箇所に形成された雌ねじ部４ｃ，４ｄに対して高さ調整ねじ９，１０が螺合されており、両雌ねじ部４ｃ，４ｄを結ぶ直線Ｐによって区画されたアクチュエータベース４の２つの領域のうち、一方の領域にシャーシ１の受け部１ｄと係合するピボット部４ａを形成すると共に、他方の領域にピボット部４ａを受け部１ｄに押し付ける圧縮コイルばね１１を配置した。【選択図】図２
2018032454.tif 000002
【特許請求の範囲】
【請求項１】
対物レンズを保持するレンズホルダと、前記レンズホルダを可動状態に支持するアクチュエータベースと、発光素子を担持して前記アクチュエータベースが取り付けられるシャーシとを備え、前記アクチュエータベースに前記シャーシの受け部と係合するピボット部が形成されており、前記ピボット部を支点として前記アクチュエータベースを傾倒させることにより、前記対物レンズの光軸の傾きが調整可能な光ピックアップ装置において、
前記アクチュエータベースの外縁部２箇所に形成された雌ねじ部に対しそれぞれ高さ調整ねじが前記シャーシを貫通して螺合しており、前記両雌ねじ部を結ぶ直線によって区画された前記アクチュエータベースの２つの領域のうち、いずれか一方の領域に前記ピボット部が形成されていると共に、いずれか他方の領域に前記ピボット部を前記シャーシの前記受け部に向けて弾性付勢するばね部材が配設されていることを特徴とする光ピックアップ装置。
【請求項２】
請求項１の記載において、前記ばね部材が圧縮コイルばねからなり、前記圧縮コイルばねの下端部が前記シャーシの内底面に形成された凹部に挿入されていることを特徴とする光ピックアップ装置。
【請求項３】
請求項１または２の記載において、前記アクチュエータベースの外縁部に前記ばね部材と当接するばね受け面が形成されており、前記ばね受け面は２つの前記雌ねじ部に対してほぼ等距離の位置にあることを特徴とする光ピックアップ装置。
【発明の詳細な説明】
【技術分野】
【０００１】
本発明は、ＣＤやＤＶＤ等の光ディスクに対して情報の記録および／または再生を行うディスク装置に用いられる光ピックアップ装置に係り、特に、対物レンズの光軸の傾き（スキュー）を調整する手段を有する光ピックアップ装置に関するものである。
【背景技術】
【０００２】
光ピックアップ装置によって光ディスクの信号を正確に読み取るためには、シャーシに設けられた半導体レーザからの光ビームをアクチュエータベースに搭載された対物レンズで収束して光ディスクの信号面へ垂直に照射させる必要があるが、製造上のばらつき等により、アクチュエータベースをシャーシの所定位置に組み付けただけでは対物レンズの光軸を傾きのない状態に設定することは困難である。そこで、組立時に対物レンズの光軸の傾きを調整するスキュー調整を行うことが多く、従来より、このようなスキュー調整を備えた光ピックアップ装置が提案されている（例えば、特許文献１参照）。
【０００３】
図８は特許文献１に開示された従来の光ピックアップ装置の外観を示す斜視図であり、この光ピックアップ装置は、アルミニウム等の金属材料からなるシャーシ１００と、対物レンズ１０１を含むアクチュエータを支持するアクチュエータベース１０２と、シャーシ１００の側面に取り付けられた受発光素子１０３と、シャーシ１００の上面に取付ねじ１０４を用いて片持ち状に固定された板ばね１０５等を備えている。アクチュエータベース１０２の外縁部３箇所に延在する突出片のうちの１つにピボット部１０２ａが形成されており、このピボット部１０２ａは板ばね１０５の弾性力を受けてシャーシ１００の受け面に押し付けられている。また、アクチュエータベース１０２の残り２つの突出片にそれぞれねじ孔が形成されており、シャーシ１００の下面から貫通孔に挿入された２本の調整ねじ１０６が対応するねじ孔に螺合されている。図示省略されているが、各調整ねじ１０６にはコイルばねが外装されており、このコイルばねの弾発力によってシャーシ１００とアクチュエータベース１０２は互いに離反する方向に付勢されている。
【０００４】
このように構成された光ピックアップ装置において、スキュー調整を行う場合は、ドライバー等の治具を用いて調整ねじ１０６を回すと、ねじ部におけるシャーシ１００とアクチュエータベース１０２との間隔が変化し、それに伴ってアクチュエータベース１０２がピボット部１０２ａを中心に傾倒するため、アクチュエータベース１０２に搭載された対物レンズ１０１の光軸の傾きを調整することができる。
【先行技術文献】
【特許文献】
【０００５】
【特許文献１】特開２００９−１４０５７１号公報
【発明の概要】
【発明が解決しようとする課題】
【０００６】
しかしながら、前述した従来の光ピックアップ装置では、２本の調整ねじ１０６に外装したコイルばねの圧縮量を変化させることでアクチュエータベース１０２が傾倒するようになっており、これらコイルばねの弾発力がピボット部１０２ａを浮かせる方向に作用するため、ピボット部１０２ａを押さえ付ける板ばね１０５と取付ねじ１０４が別途必要となる。その結果、スキュー調整に必要な部品点数が、２本の調整ねじ１０６と２つのコイルばねと板ばね１０５および取付ねじ１０４の計６点と多くなり、このことがコストの低減化を妨げる大きな要因となっていた。
【０００７】
本発明は、このような従来技術の実情に鑑みてなされたもので、その目的は、スキュー調整に必要な部品点数を削減してコストの低減化を図れる光ピックアップ装置を提供することにある。
【課題を解決するための手段】
【０００８】
上記の目的を達成するために、本発明の光ピックアップ装置は、対物レンズを保持するレンズホルダと、前記レンズホルダを可動状態に支持するアクチュエータベースと、発光素子を担持して前記アクチュエータベースが取り付けられるシャーシとを備え、前記アクチュエータベースに前記シャーシの受け部と係合するピボット部が形成されており、前記ピボット部を支点として前記アクチュエータベースを傾倒させることにより、前記対物レンズの光軸の傾きが調整可能な光ピックアップ装置において、前記アクチュエータベースの外縁部２箇所に形成された雌ねじ部に対しそれぞれ高さ調整ねじが前記シャーシを貫通して螺合しており、前記両雌ねじ部を結ぶ直線によって区画された前記アクチュエータベースの２つの領域のうち、いずれか一方の領域に前記ピボット部が形成されていると共に、いずれか他方の領域に前記ピボット部を前記シャーシの前記受け部に向けて弾性付勢するばね部材が配設されているという構成にした。
【０００９】
このように構成された光ピックアップ装置では、アクチュエータベースの２箇所の雌ねじ部に高さ調整ねじが螺合されており、ばね部材の弾発力が両雌ねじ部を結ぶ直線を中心とするアクチュエータベースの回転力として作用すると共に、その回転力を受ける位置にピボット部が形成されているため、ばね部材の弾発力と３箇所の支点（ピボット部と２つの雌ねじ部）によってアクチュエータベースの傾倒姿勢が決まる構造となっている。そして、これら３箇所の支点のうち、２つの雌ねじ部の高さを高さ調整ねじで可変させれば良いため、２本の高さ調整ねじと１つのばね部材の計３部品によってスキュー調整を行うことができる。
【００１０】
上記の構成において、ばね部材が圧縮コイルばねからなり、この圧縮コイルばねの下端部がシャーシの内底面に形成された凹部に挿入されていると、ばね部材を所定位置に容易に組み込むことができると共に、ばね部材の位置ずれや脱落を防止することができる。
【００１１】
また、上記の構成において、アクチュエータベースの外縁部にばね部材と当接するばね受け面が形成されており、このばね受け面が２つの雌ねじ部に対してほぼ等距離の位置にあると、ピボット部の浮き上がりを確実に防止することができて好ましい。
【発明の効果】
【００１２】
本発明の光ピックアップ装置によれば、スキュー調整に必要な部品点数を削減してコストの低減化を図ることができる。
【図面の簡単な説明】
【００１３】
【図１】本発明の実施形態例に係る光ピックアップ装置の外観斜視図である。
【図２】該光ピックアップ装置の平面図である。
【図３】該光ピックアップ装置の分解斜視図である。
【図４】該光ピックアップ装置に備えられるシャーシを下方から見た斜視図である。
【図５】該光ピックアップ装置に備えられるアクチュエータベースを下方から見た斜視図である。
【図６】図１のVI−VI線に沿う断面図である。
【図７】図１のVII−VII線に沿う断面図である。
【図８】従来例に係る光ピックアップ装置の外観斜視図である。
【発明を実施するための形態】
【００１４】
発明の実施の形態について図面を参照して説明すると、図１〜図７に示すように、本実施形態例に係る光ピックアップ装置は、シャーシ１と、対物レンズ２やレンズホルダ３等のアクチュエータが搭載されたアクチュエータベース４と、シャーシ１の内底面に設置された反射ミラー５と、半導体レーザと受光器およびホログラム光学素子をモジュール化した受発光素子（ホログラムレーザ）６と、受発光素子６が実装されたＦＰＣ（フレキシブル配線基板）７と、受発光素子６を覆う板金製の放熱カバー８等によって概略構成されている。
【００１５】
シャーシ１はアルミ合金などの金属あるいは合成樹脂で成形されており、その両側部には円形状のガイド孔１ａとＵ字状のガイド溝１ｂがそれぞれ形成されている。このシャーシ１はディスク装置本体の図示せぬ機構シャーシに往復移動可能に取り付けられ、図示せぬ光ディスクの径方向へ移動するというものである。すなわち、機構シャーシに設けられた図示せぬガイドシャフトをガイド孔１ａに挿通し、かつ該ガイドシャフトに対して平行な図示せぬスクリューシャフトをガイド溝１ｂに係合させることによって、スクリューシャフトの回転に伴ってシャーシ１がガイドシャフトに案内されながら直線運動するようになっている。
【００１６】
シャーシ１は平面視矩形状の窪み部１ｃを有し、図３と図７に示すように、この窪み部１ｃを包囲するシャーシ１の周壁上面にすり鉢状の受け部１ｄが形成されており、この受け部１ｄにアクチュエータベース４の後述するピボット部４ａが係合するようになっている。また、図３と図４に示すように、シャーシ１の窪み部１ｃを包囲する周壁の２箇所には貫通孔１ｅ，１ｆが形成されており、窪み部１ｃの内底面には凹部１ｇが形成されている。後述するように、各貫通孔１ｅ，１ｆにはそれぞれ高さ調整ねじ９，１０が挿通され、凹部１ｇ内には圧縮コイルばね１１の下端部が収納されるようになっている。
【００１７】
アクチュエータベース４に搭載されたアクチュエータは、対物レンズ２を保持してフォーカスコイルとトラッキングコイルが巻装されたレンズホルダ３と、レンズホルダ３を弾性的に支持する複数本の導電性のワイヤ１２と、各ワイヤ１２の基端部に接続された背面基板１３と、レンズホルダ３の周囲に配置されたマグネット１４等によって構成されており、背面基板１３はＦＰＣ７を介して外部の駆動制御回路に接続されている。そして、各ワイヤ１２を介してフォーカスコイルとトラッキングコイルに駆動電流を供給することにより、対物レンズ２とレンズホルダ３が図示せぬ光ディスクのフォーカス方向およびトラッキング方向に駆動されるようになっている。
【００１８】
アクチュエータベース４は金属板を折曲加工したものからなり、このアクチュエータベース４のほとんどはシャーシ１の窪み部１ｃ内に配置されているが、アクチュエータベース４の外縁部３箇所に延在する突出片４ｂは窪み部１ｃの外側に突出している。これら３片の突出片４ｂのうち、対角線上に位置する２つの突出片４ｂにそれぞれ雌ねじ部４ｃ，４ｄが形成されており、これら雌ねじ部４ｃ，４ｄに対して高さ調整ねじ９，１０がシャーシ１の下面から貫通孔１ｅ，１ｆを挿通して螺着されている。残り１つの突出片４ｂに半球状のピボット部４ａが形成されており、このピボット部４ａはシャーシ１の周壁上面に形成された受け部１ｄに挿入されている。また、突出片４ｂが延在していないアクチュエータベース４の隅部の下面はばね受け面４ｅとなっており、このばね受け面４ｅは２つの雌ねじ部４ｃ，４ｄに対してほぼ等距離の位置に形成されている。ばね受け面４ｅとシャーシ１の凹部１ｇとの間には圧縮コイルばね１１が介設されており、この圧縮コイルばね１１の弾発力によってピボット部４ａはシャーシ１の受け部１ｄから浮き上がらないように押え付けられている。
【００１９】
図２に示すように、アクチュエータベース４の２つの雌ねじ部４ｃ，４ｄを結んだ直線をＰとすると、アクチュエータベース４は直線Ｐによって２つの三角形状の領域に区画されている。そして、一方の領域の頂点近傍にピボット部４ａが形成されていると共に、他方の領域の頂点近傍に圧縮コイルばね１１が配置されているため、圧縮コイルばね１１の弾発力によってピボット部４ａがシャーシ１の受け部１ｄから浮き上がらないように押え付けることができる。このように圧縮コイルばね１１の弾発力が直線Ｐを中心とするアクチュエータベース４の回転力として作用し、その回転力を受ける位置にピボット部４ａが形成されているため、圧縮コイルばね１１の弾発力と３箇所の支点（圧縮コイルばね１１と２つの雌ねじ部４ｃ，４ｄ）によってアクチュエータベース４の傾倒姿勢が決まる構造となっている。そして、これら３箇所の支点のうち、２つの雌ねじ部４ｃ，４ｄの高さを高さ調整ねじ９，１０で可変させれば良いため、以下に説明するように、２本の高さ調整ねじ９，１０と１つの圧縮コイルばね１１の計３部品によってスキュー調整を行うことができる。
【００２０】
すなわち、シャーシ１にアクチュエータベース４を組み付ける際には、圧縮コイルばね１１の下端部を凹部１ｇに挿入した後にアクチュエータベース４をシャーシ１の窪み部１ｃ内に配置し、この状態で２本の高さ調整ねじ９，１０をシャーシ１の下面から貫通孔１ｅ，１ｆに挿通して雌ねじ部４ｃ，４ｄに螺合させると、ピボット部４ａが圧縮コイルばね１１の弾発力を受けてシャーシ１の受け部１ｄに押し付けられるため、アクチュエータベース４はピボット部４ａと２つの雌ねじ部４ｃ，４ｄの計３箇所がバランスよくシャーシ１に支持された状態となる。
【００２１】
このようにしてアクチュエータベース４をシャーシ１に組み付けた後、シャーシ１を調整用のディスク装置に設置し、アクチュエータベース４に搭載された対物レンズ２を調整用の光ディスクに対向させる。そして、この状態で高さ調整ねじ９，１０を回して雌ねじ部４ｃ，４ｄの高さを適宜上昇させたり下降させることにより、シャーシ１の受け部１ｄに押し当てたピボット部４ａを支点としてアクチュエータベース４を適宜傾倒させれば、対物レンズ２の光軸の傾き（スキュー）を調整することができる。
【００２２】
以上説明したように、本実施形態例に係る光ピックアップ装置では、対物レンズ２を可動状態に支持するアクチュエータベース４の２箇所の雌ねじ部４ｃ，４ｄに高さ調整ねじ９，１０が螺合されており、圧縮コイルばね１１の弾発力が両雌ねじ部４ｃ，４ｄを結ぶ直線Ｐを中心とするアクチュエータベース４の回転力として作用すると共に、その回転力を受ける位置にピボット部４ａが形成されているため、圧縮コイルばね１１の弾発力と３箇所の支点（圧縮コイルばね１１と２つの雌ねじ部４ｃ，４ｄ）によってアクチュエータベース４の傾倒姿勢が決まる構造となっている。そして、これら３箇所の支点のうち、２つの雌ねじ部４ｃ，４ｄの高さを高さ調整ねじ９，１０で可変させれば良いため、２本の高さ調整ねじ９，１０と１つの圧縮コイルばね１１の計３部品によってスキュー調整を行うことができ、その分、スキュー調整に必要な部品点数を削減してコストの低減化を図ることができる。
【００２３】
また、ピボット部４ａをシャーシ１の受け部１ｄに押し付けるばね部材として圧縮コイルばね１１を用いており、この圧縮コイルばね１１の下端部がシャーシ１の内底面に形成された凹部１ｇに挿入されるようになっているため、圧縮コイルばね１１をシャーシ１の所定位置に容易に組み込むことができると共に、圧縮コイルばね１１の位置ずれや脱落を防止することができる。
【００２４】
また、アクチュエータベースの外縁部に圧縮コイルばね１１の上端と当接するばね受け面４ｅが形成されており、このばね受け面４ｅが２つの雌ねじ部４ｃ，４ｄに対してほぼ等距離の位置に設定されているため、ばね定数の小さな圧縮コイルばね１１を用いてピボット部の４ａ浮き上がりを確実に防止することができる。
【符号の説明】
【００２５】
１  シャーシ
１ｃ  窪み部
１ｄ  受け部
１ｅ，１ｆ  貫通孔
１ｇ  凹部
２  対物レンズ
３  レンズホルダ
４  アクチュエータベース
４ａ  ピボット部
４ｂ  突出片
４ｃ，４ｄ  雌ねじ部
４ｅ  ばね受け面
５  反射ミラー
６  受発光素子（発光素子）
７  ＦＰＣ
９，１０  高さ調整ねじ
１１  圧縮コイルばね（ばね部材）
１２  ワイヤ
１３  背面基板
１４  マグネット
Ｐ  直線
【図１】
2018032454.tif 000003
【図２】
2018032454.tif 000004
【図３】
2018032454.tif 000005
【図４】
2018032454.tif 000006
【図５】
2018032454.tif 000007
【図６】
2018032454.tif 000008
【図７】
2018032454.tif 000009
【図８】
2018032454.tif 000010